(57)【特許請求の範囲】
【請求項１】
電圧制御発振器（ＶＣＯ）と、
受信帯域フィルタと、
前記ＶＣＯの制御電圧により前記受信帯域フィルタの通過帯域の特性を回線周波数に応じて制御すること、
前記ＶＣＯの特性を切り換えることにより前記制御電圧の範囲を狭くする制御手段とを含む移動端末受信機。
【請求項２】
ＶＣＯの制御電圧を用いること、
前記制御電圧を受信帯域フィルタに入力すること、
前記制御電圧により前記受信帯域フィルタの通過帯域の特性を回線周波数に応じて制すること、
前記ＶＣＯの特性を切り換えることにより前記制御電圧の範囲を狭くすることからなる移動端末受信機の帯域特性制御方法。
【請求項３】
請求項２において、更に、
前記制御電圧を変化させることにより前記受信帯域フィルタの通過帯域の特性のずれを修正することからなる移動端末受信機の帯域特性制御方法。
【請求項４】
請求項３において、更に、
前記制御電圧の変化は段階的に行われる移動端末受信機の帯域特性制御方法。
【請求項５】
請求項４において、
前記段階的な変化は前記制御電圧の抵抗分割による変化である移動端末受信機の帯域特性制御方法。
【請求項６】
請求項２において、更に、
温度を検出すること、
前記受信帯域フィルタの温度特性の補正を行うこととからなる移動端末受信機の帯域特性制御方法。
【発明の詳細な説明】
【０００１】
【発明の属する技術分野】
本発明は、移動端末受信機の帯域特性制御方法に関する。
【０００２】
【従来の技術】
受信帯域フィルタは、使用する回線周波数の全域で、受信周波数では低損失で、イメージ周波数を減衰させる必要がある。このような必要性を満たすために、広い回線周波数範囲で使用する装置では、その特性ばらつきを抑えるために、フィルタのＱを低くしたり、精度の高い高価なコイルやコンデンサを使用しなければならなかった。又は、そのために、使用できる受信周波数範囲を狭く制限し、特定の周波数のみ使用できるフイルタにしなければならなかった。
【０００３】
無線選択受信機は、広い周波数範囲で高い減衰特性を持つことが望まれる。
【０００４】
【発明が解決しようとする課題】
本発明の課題は、広い周波数範囲で高い減衰特性を持つことができる移動端末受信機の帯域特性制御方法を提供することにある。
【０００５】
【課題を解決するための手段】
本発明による移動端末受信機の帯域特性制御方法は、ＶＣＯの制御電圧を用いること、制御電圧を受信帯域フィルタに入力すること、制御電圧により受信帯域フィルタの通過帯域の特性を回線周波数に応じて制御することとからなる。受信帯域フィルタの入力される電圧制御により、受信帯域フィルタの減衰量を大きくすることができる。
【０００６】
制御電圧を変化させることにより受信帯域フィルタの通過帯域の特性のずれを修正することができ、その修正により減衰量を一定に保持することができる。その制御電圧の変化は、連続的でなく段階的に行わうことで充分に課題を達成できる。段階的な変化は、抵抗の選択により容易に可能である。更に、ＶＣＯの特性を切り換えることにより制御電圧の範囲を狭くすることは好ましい。温度を検出すること、受信帯域フィルタの温度特性の補正を行うことは更に好ましい。
【０００７】
【発明の実施の形態】
図に一致対応して、本発明による移動端末受信機の帯域特性制御方法の実施の形態は、アンテナが設けられている。そのアンテナ１で受信した選択呼出信号（回線周波数＝ｆａ）は、高周波増幅器（ＲＦＡＭＰ）２で増幅され、受信帯域フィルタ（ＢＰＦ１）３を通る間に、そのイメージ周波数のスプリアスが減衰される。このような減衰を受けた信号は、第１Ｌｏｃａｌ部８からの出力（周波数＝ｆａＬ１）と共に第１ＭＩＸＥＲ４に入力される。第１ＭＩＸＥＲ４の出力は、周波数（ＩＦ１＝ｆａ−ｆａＬ１：スパーヘテロダイン方式でｌｏｗｅｒの場合）になり、第１ＩＦフィルタ（ＢＰＦ２）５を通過して、第２Ｌｏｃａｌ部９の出力と共に、第２ＭＩＸＥＲ６に入力される。
【０００８】
第２ＭＩＸＥＲ６の出力は、第２ＩＦフィルタ（ＢＰＦ３）７を通過して、復調部１０に入力される。復調部１０で復調された信号は、デコーダ１１で読み取られてＣＰＵ１２に供給され、ＣＰＵ１２で自己の呼出番号と比較される。復調された呼出番号が、記憶部１４の出力である自己の呼出番号に一致していれば、続いて復調されるメッセージが報知部１３で表示されると共に、音、振動のような呼出手段により呼び出し報知される。
【０００９】
図２は、ＰＬＬ周波数シンセサイザである第１Ｌｏｃａｌ部８の詳細を示している。第１Ｌｏｃａｌ部８には、電圧制御発振器（ＶＣＯ）８１と共に基準発振器８５が設けられている。基準発振器８５から出力された基準周波数の発振信号は電圧制御発振器８１から出力された発振出力とともに、第１分周器８４と第２分周器８２により制御部からの周波数信号で指定された分周数に応じてそれぞれに分周され、位相比較器８３で比較される。その比較の結果の出力は、チャージポンプ８７、ＬＰＦ８６で電圧制御発振器８１への制御電圧入力となり、その入力制御電圧（ＶＣＯ制御端子４９）に応じた周波数の発振出力が得られる。損制御電圧は、受信帯域フィルタに入力される。
【００１０】
図３は、受信帯域フィルタ３の詳細を示している。受信帯域フィルタ３は、コイル３１、コンデンサ３２、抵抗３３で構成される第１ＬＣフィルタ４０と、コイル３６、コンデンサ３５、コンデンサ３７、可変容量ダイオード３８で構成される第２ＬＣフィルタ４１と、第１ＬＣフィルタと第２ＬＣフィルタとを結合するコンデンサ３４と、第１Ｌｏｃａｌ８部のＬＰＦ８６（ＶＣＯ制御端子）からの信号を抵抗３９を介してコンデンサ３７と可変容量ダイオード３８との間に電圧を印加するための制御端子であるフィルタ制御端子４９とで構成されるフィルタである。
【００１１】
第１Ｌｏｃａｌ部８のＬＰＦ８６から出力される電圧（ＶＣＯ制御端子４９の電圧）が受信帯域フィルタ３のフィルタ制御第１端子に入力され可変容量ダイオード３８に電圧印加される。入力されるＶＣＯ制御電圧は、第１ＬｏｃａｌであるＶＣＯ周波数に応じて変化しているため、ＶＣＯ制御電圧は、図４（ａ）に示すように回線周波数がｆａからｆｂに変化した時、回線周波数に応じてＶｆａからＶｆｂに変化することになる。
【００１２】
可変容量ダイオード３８の容量値は、図４（ｂ），（ｃ）に示されるように、ＶＣＯ制御電圧からの電圧により変化するため、回線周波数に応じて可変容量ダイオード３８の容量値が変化することになる。ＬＣで構成されるフィルタの共振周波数が変わり、受信帯域フィルタ３の通過特性は、図４（ｄ）に示されるように、回線周波数に応じて変化していく。
【００１３】
図５は、回線周波数がｆａからｆｂ(ｆａ<ｆｂ)に変化した時の受信帯域フィルタの特性を示している。受信帯域フィルタ３の制御がない場合には、フィルタは広い回線周波数帯域で受信周波数のレベルが減衰しない特性になっているため、図５（ａ）に示されるように、回線周波数ｆａのイメージ周波数ｆａｉのフィルタ減衰量はＡｄＢであるが、回線周波数ｆｂのイメージ周波数ｆｂｉでのフィルタ減衰量はＢｄＢに小さく（Ａ＞Ｂ）なってしまい、従来は、イメージ周波数ｆｂｉでも充分減衰できるように高いＱを持つフィルタが要求されていた。
【００１４】
本発明では、受信帯域フィルタの制御を行うことにより、受信帯域フィルタ３では、回線周波数が回線周波数ｆａであっても回線周波数ｆｂであても、いずれの場合でも、図５（ｂ）に示されるように、ＡｄＢ＝ＢｄＢであり、同じ減衰特性が得られるようになる。
【００１５】
図６は、本発明による実施の他の形態を示している。この実施の形態では、図１に示される実施の形態に更にフィルタ制御電圧制御部１６が追加されている。フィルタ制御電圧制御部１６は、第１Ｌｏｃａｌ部８と受信帯域フィルタ３との間に介設されている。
【００１６】
図７（ａ）は、フィルタ制御電圧制御部１６の詳細を示している。フィルタ制御電圧制御部１６には、ＣＰＵ１２からの信号により制御されるアナログスイッチ１６１、アナログスイッチ１６２と、アナログスイッチ１６１，１６２のそれぞれの入力側とＶＣＯ８１部 ＬＰＦ８６（ＶＣＯ制御端子４９）の出力が接続される抵抗１６３、抵抗１６４とが設けられている。
【００１７】
アナログスイッチ１６１，１６２のそれぞれの出力が、受信帯域フィルタ３のフィルタ制御端子に供給される。この場合、ＣＰＵ１２は、フィルタ制御電圧制御部１６に２本の線で接続されている。その１本の線はアナログスイッチ１６１を動作させ、他の１本の線はアナログスイッチ１６２を動作させる。
【００１８】
回線周波数はｆａ〜ｆｂ〜ｆｃ（ｆａ≦ｆｂ≦ｆｃ）まで対応する。図７（ｂ）に示されるように、ＶＣＯ制御電圧が、回線周波数範囲ｆａ〜ｆｂ（ｆａ≦回線周波数＜ｆｂ）と回線周波数ｆｂ〜ｆｃ（ｆｂ≦回線周波数≦ｆｃ）とで切り替わる場合について、以下が記述される。回線周波数ｆａ〜ｆｂでは、ＣＰＵ１２からの信号によりアナログスイッチ１６１がＯＮ状態、アナログスイッチ１６２がＯＦＦ状態になり、ＶＣＯ８１部 ＬＰＦ８６の出力電圧”Ｖｆ”がアナログスイッチ１６１から出力され、受信帯域フィルタ３のフィルタ制御端子に供給される。
【００１９】
回線周波数ｆｂ〜ｆｃでは、ＣＰＵ１２からの信号によりアナログスイッチ１６１がＯＦＦ状態、アナログスイッチ１６２がＯＮ状態になり、ＶＣＯ８１部 ＬＰＦ８６の出力電圧Ｖｆが抵抗１６３、抵抗１６４にて分圧されてアナログスイッチ１６２から出力され、受信帯域フィルタ３のフィルタ制御端子に供給される。抵抗１６３の抵抗値がＲ１、抵抗１６４の抵抗値がＲ２で表され、ＶＣＯ制御電圧Ｖｆは、（Ｒ２／（Ｒ１＋Ｒ２））×Ｖｆに変化してフィルタ制御端子に供給される。
【００２０】
フィルタ制御電圧制御１６がない場合、回線周波数とＶＣＯ制御電圧の関係と、フィルタの通過特性ピークの周波数（ここでは、フィルタが対応する回線周波数として示されている）とフィルタ制御電圧の関係は、図８（ａ）に示されるように動作する。回線周波数ｆａ〜ｆｂの狭い周波数範囲では、ＶＣＯ８１はＶＣＯ制御電圧Ｖｆａ〜Ｖｆｂで動作し、受信帯域フィルタ３もフィルタ制御電圧Ｖｆａ〜Ｖｆｂと同じ電圧で通過帯域ピークとなる。
【００２１】
更に、回線周波数ｆｂ〜ｆｃの広い周波数範囲を対応させると、ＶＣＯ８１はＶＣＯ制御電圧Ｖｆｂ〜Ｖｆｃで動作し、受信帯域フィルタ３はフィルタ制御端子電圧Ｖｆｂ〜Ｖｆｃｘで動作し、回線周波数ｆｃで受信帯域フィルタ３の特性と、ＶＣＯ８１の特性に（Ｖｆｃ−Ｖｆｃｘ）分のずれが発生する。そのため、回線周波数ｆｃにてＶＣＯ制御電圧Ｖｆｃが受信帯域フィルタ３の制御端子にそのまま入力されると、受信帯域フィルタ３は回線周波数ｆｄで通過帯域ピークとなり、従来は、図８（ｂ）に示されるように、回線周波数ｆｃではＸｄＢレベルだけ劣化していた。
【００２２】
本発明の制御によれば、ＶＣＯ８１の特性と受信帯域フィルタ３の特性とのずれが大きなる回線周波数、例えば回線周波数がｆｃである時は、フィルタ制御電圧制御部１６でＶＣＯ制御電圧ＶｆｃをＶｆｃｘに変化させることができ、図８（ｃ）に示されるように、ＶＣＯ８１の特性と、受信帯域フィルタ３の特性を一致させることができる。
【００２３】
図８（ｄ）に示されるように、従来の回線周波数ｆａ〜ｆｂの狭い範囲だけでなく、回線周波数ｆａ〜ｆｃと広い周波数範囲で受信帯域フィルタ３の受信周波数での損失を小さく抑え、高い減衰特性が得られるようになる。
【００２４】
図１の実施の形態で、部品の精度が低くて受信帯域フィルタ３のレベル劣化が許容できないためフィルタのＱを低くする必要があった場合には、図９（ａ）に示されるように、受信帯域フィルタ３で減衰させたい回線周波数ｆａのイメージ周波数ｆａｉでの減衰量はＹｄＢと小さくなっていたが、本発明ではフィルタのＱを高くすることも可能であるため、図９（ｂ）に示されるように、イメージ周波数ｆａｉのフィルタ減衰量はＹｄＢからＺｄＢ（Ｙ＜Ｚ）と大きくすることができる。
【００２５】
図１０は、本発明による移動端末受信機の帯域特性制御方法の実施の更に他の形態を示している。図１の実施の形態に、更に、フィルタ・ＶＣＯ制御部１５が追加され、ＶＣＯ特性切換が行われ得る。第１Ｌｏｃａｌ部８と受信帯域フィルタ３の間に、更に、フィルタ制御電圧制御部１６が介設され、ＶＣＯ８１部ＬＰＦ８６の出力を変化させる制御が行われる。
【００２６】
図１１（ａ）は、フィルタ・ＶＣＯ制御部１５の詳細を示している。回線周波数は、図１１（ｂ）に示されるように、ｆａ〜ｆｂ〜ｆｃ（ｆａ≦ｆｂ≦ｆｃ）まで対応し、ＶＣＯ制御電圧が、回線周波数ｆａ〜ｆｂ（ｆａ≦回線周波数＜ｆｂ）と回線周波数ｆｂ〜ｆｃ(ｆｂ≦回線周波数≦ｆｃ)とで切り替わる場合について、以下が記述される。
【００２７】
回線周波数ｆａ〜ｆｂでは、ＣＰＵ１２からの信号によりアナログスイッチ１５３はＯＦＦ状態になり、フィルタ・ＶＣＯ制御部１５からの出力電圧は零となり、ＶＣＯ８１部のＶＣＯ特性切換端子には電圧”零”が供給される。回線周波数ｆｂ〜ｆｃでは、ＣＰＵ１２からの信号によりアナログスイッチ１５３はＯＮ状態になり電源１５４の出力電圧ＶＣが抵抗１５１，１５２に供給される。抵抗１５１の抵抗値はＲ１で、抵抗１５２の抵抗値はＲ２で表され、（Ｒ２／(Ｒ１＋Ｒ２））×ＶＣの電圧がフィルタ・ＶＣＯ制御部１５から出力され、ＶＣＯ８１のＶＣＯ特性切換端子に供給される。
【００２８】
図１２は、第１Ｌｏｃａｌ部８（ＰＬＬ周波数シンセサイザ）の回路ブロックを示している。図２の第１Ｌｏｃａｌ部８に、更に、フィルタ・ＶＣＯ制御部１５からの信号によりＶＣＯ特性を切り換えるＶＣＯ特性切換端子が追加されている。図１３は、ＶＣＯ８１部の詳細を示している。ＶＣＯ特性切換端子に入力される電圧は、抵抗８１１を介して、ダイオード８１３に入力される。
【００２９】
回線周波数がｆａ〜ｆｂである時は、フィルタ・ＶＣＯ制御回路１５からの信号”０”がＶＣＯ制御特性切換端子に入力され、抵抗８１１を介して可変容量ダイオード８１３に入力される。図８（ｃ）に示されるように、ＶＣＯ制御電圧 Ｖｆａ〜ＶｆｂでＶＣＯが動作する。
【００３０】
回線周波数がｆｂ〜ｆｃである時は、フィルタ・ＶＣＯ制御回路１５からの信号｛Ｒ２／（Ｒ１＋Ｒ２）｝×ＶＣがＶＣＯ特性切換端子に入力され、抵抗８１１を介して可変容量ダイオード８１３に入力される。可変容量ダイオード８１６の容量が回線周波数がｆａ〜ｆｂである時とは変わるため、ＶＣＯ特性が回線周波数ｆａ〜ｆｂの時から切り替わり、図８（ｃ）に示されるように、ＶＣＯ制御電圧Ｖｆｂ〜ＶｆｃｘでＶＣＯが動作する。
【００３１】
フィルタ・ＶＣＯ制御１５がない場合、図６の実施の形態で記述され、図８（ａ）に示されるように、回線周波数ｆｃで（Ｖｆｃ−Ｖｆｃｘ）分のずれが発生し、図８（ｂ）に示されるように、回線周波数ｆｃではｘｄＢレベル分だけ劣化していた。本発明の制御によれば、ＶＣＯ特性を切り換えて、ＶＣＯ８１の特性と受信帯域フィルタ３の特性を一致させることで、図８（ｄ）に示されるように、従来の回線周波数ｆａ〜ｆｂの狭い範囲だけでなく、回線周波数ｆａ〜ｆｃの広い周波数範囲で受信帯域フィルタ３の受信周波数での損失を小さく抑え、高い減衰特性が得られるようになる。
【００３２】
図１４は、本発明による移動端末受信機の帯域特性制御方法の実施の更に他の形態を示している。図１０の実施の形態では、回線周波数ｆａ〜ｆｂとｆｂ〜ｆｃとでＶＣＯ８１の特性の切換を行ったが、更に、本実施の形態では更に受信帯域フィルタ３の特性の切換が行われる。第１Ｌｏｃａｌ部８は、図１２のそれに全く同じである。
【００３３】
図１５は、フィルタ・ＶＣＯ制御部１５の詳細を示している。回線周波数がｆａ〜ｆｂ〜ｆｃ（ｆａ≦ｆｂ≦ｆｃ）まで対応し、フィルタ・ＶＣＯが回線周波数ｆａ〜ｆｂ（ｆａ≦回線周波数＜ｆｂ）、回線周波数ｆｂ〜ｆｃ（ｆｂ≦回線周波数≦ｆｃ）で切り替わる場合について、以下が記述される。
【００３４】
回線周波数がｆａ〜ｆｂである時は、ＣＰＵ１２からの信号によりアナログスイッチ１５３，１５７はＯＦＦ状態になり、フィルタ・ＶＣＯ制御部１５からの出力電圧は零になる。ＶＣＯ８１のＶＣＯ特性切換端子、受信帯域フィルタ３のフィルタ特性切換端子には、共に電圧零が供給される。回線周波数ｆb〜ｆcでは、ＣＰＵ１２からの信号によりアナログスイッチ１５３，１５７はＯＮ状態になり、電源１５４の出力電圧ＶＣが抵抗１５１，１５２、及び、抵抗１５５，１５６に供給される。
【００３５】
抵抗１５１の抵抗値はＲ１で、抵抗１５２の抵抗値はＲ２で表され、（Ｒ２／（Ｒ１＋Ｒ２））×ＶＣの電圧がフィルタ・ＶＣＯ制御部１５から出力され、ＶＣＯ８１のＶＣＯ特性切換端子に供給される。抵抗１５５の抵抗値はＲ３で、抵抗１５６の抵抗値はＲ４で表され、（Ｒ４／（Ｒ３＋Ｒ４））×ＶＣの電圧がフィルタ・ＶＣＯ制御部１５から出力され、受信帯域フィルタ３のフィルタ特性切換端子に供給される。
【００３６】
ＶＣＯ８１の回線周波数とＶＣＯ制御電圧の関係は、図１７（ａ）に示される特性になる。更に、ＶＣＯ特性切換端子に入力されるフィルタ・ＶＣＯ制御回路１５からの信号によりＶＣＯ特性の切り替えを行えるようにしている。回線周波数がｆａ〜ｆｂである時は、フィルタ・ＶＣＯ制御回路１５からの信号”０”がＶＣＯ制御特性切換端子に入力され、図１７（ｃ）に示されるように、ＶＣＯ制御電圧Ｖｆａ〜ＶｆｂでＶＣＯが動作する。
【００３７】
回線周波数ｆｂ〜ｆｃの時は、フィルタ・ＶＣＯ制御回路１５からの信号（Ｒ２／(Ｒ１＋Ｒ２））×ＶＣがＶＣＯ特性切換端子に入力され、図１３に示すＶＣＯ８１部の可変容量ダイオード８１６の容量が回線ｆａ〜ｆｂの時とは変わるため、ＶＣＯ特性が回線周波数ｆａ〜ｆｂの時から切り替わり、図１７（ｃ）に示されるように、ＶＣＯ制御特性切換端子の制御電圧は、回線周波数ｆａ〜ｆｂと同じ Ｖｆａ〜ＶｆｂでＶＣＯが動作する。
【００３８】
図１６は、受信帯域フィルタ３の他の詳細を示している。この実施の形態では、図３のそれに更にもう１つの制御端子であるフィルタ特性切換端子５０で、フィルタ・ＶＣＯ制御回路１５からの信号によりフィルタ特性の切り替えを行う。回線周波数がｆａ〜ｆｂである時は、フィルタ・ＶＣＯ制御回路１５からの信号”０”がフィルタ特性切換端子５０に入力され、受信帯域フィルタ３の通過帯域はフィルタ制御端子の入力電圧Ｖｆａ〜Ｖｆｂに応じて図１７（ｄ）に示されるように、回線周波数でピークになる特性となるように動作する。
【００３９】
回線周波数ｆｂ〜ｆｃでは、フィルタ・ＶＣＯ制御回路１５からの信号（Ｒ４／(Ｒ３＋Ｒ４））×ＶＣがフィルタ制御特性切換端子に入力され、受信帯域フィルタ３の通過帯域はフィルタ制御端子の入力電圧Ｖｆａ〜Ｖｆｂ（回線周波数ｆａ〜ｆｂの時と同じ電圧）に応じて図１７（ｄ）に示されるように、回線周波数でピークになる特性となるように動作する。
【００４０】
フィルタ・ＶＣＯ制御１５がない従来の場合、広い回線周波数範囲においてＶＣＯ制御電圧も広くとらなければならない時には、既述の実施の形態で述べられたように図１７（ａ），（ｂ）に示されるように、要求される特性からずれ、受信帯域フィルタ３の特性は受信周波数でｘｄＢレベルだけ劣化する回線周波数が存在したりしていた。本発明による受信帯域フィルタとＶＣＯの制御を行うことにより、広い周波数範囲で受信帯域フィルタ３は受信周波数での損失を小さく抑え、高い減衰特性が得られるようになる。
【００４１】
図１８は、本発明による移動端末受信機の帯域特性制御方法の実施の更に他の形態を示している。図１４の実施の形態に、更に、Ｄ／Ａ変換器１８、温度検出回路１７が追加され、受信帯域フィルタ３には、更に、温度補正端子（図示せず）が設けられ、更に、Ｄ／Ａ変換器１８からの制御も行われる。Ｄ／Ａ変換器１８、温度検出回路１７以外の各部回路の機能と動作は、図１４の実施の形態のそれらに全く同じである。
【００４２】
温度検出回路１７は、当該受信機の温度を検出する。ＣＰＵ１２は温度検出回路１７より温度を検出すると、記憶部１４からあらかじめ記憶されている温度に対応したデータを読み出し、Ｄ／Ａ変換器１８から温度に対応した電圧を出力し、温度補正端子に入力する。図１９（ａ）に示されるように、温度がｔ゜Ｃから(ｔ＋ｘ)゜Ｃに変化した場合に、以下が記述される。
【００４３】
温度がｔ゜Ｃである時、温度補正端子には電圧Ｖｔが入力されているが、温度が(ｔ＋ｘ)゜Ｃに変化した時、温度補正端子には電圧Ｖｔ＋ｘに変化して入力される。Ｘ゜Ｃ分の温度変化に対応したフィルタ特性変化分を補正する。この制御を行わないと温度によるフィルタの特性が変化してしまう場合でも、本制御を行えば特性変化分を補正することができ、温度によるフィルタ特性変化をなくすことが可能である。
【００４４】
図６、図１０、図１４に示す実施の形態にも、同様に、Ｄ／Ａ変換器１８、温度検出回路１７を追加し、受信帯域フィルタ３には、更に温度補正端子を設け、更にＤ／Ａ変換器１８からの制御も行うことで、温度によるフィルタ特性変化をなくすことが可能になる。
【００４５】
図３、図１６で示すフィルタは、コイルとコンデンサ、抵抗で構成されるＬＣフィルタであり、ここでは第１ＬＣフィルタと第２ＬＣフィルタとの２つのＬＣフィルタを組み合わせた形で使用した場合について記述されているが、使用するフィルタは要求される特性にあったフィルタ構成を選択するため、他の構成も存在する。例えば、ＬＣフィルタ１段のみの場合や、複数段使用する場合もあり、どのフィルタ構成の場合でも本発明の回路を搭載しフィルタ特性を制御することができる。また、フィルタ制御端子は、フィルタの出力側に搭載する構成で記述されているが、入力側に入れても制御可能であり、要求される特性が得れるように構成することができる。
【００４６】
このように、第１Ｌｏｃａｌ部のＰＬＬシンセサイザのＶＣＯ制御電圧をフィルタの制御に使用することで回線周波数に応じて受信帯域フィルタの通過減衰特性を制御でき、受信周波数だけを通過させるフィルタを実現できるため、広い周波数範囲でどの回線周波数を使用しても、イメージ周波数の減衰特性が同じである受信帯域フィルタを実現することができる。
【００４７】
更には、直接ＶＣＯ制御電圧を変化させる回路を設けたり、ＶＣＯ、受信帯域フィルタを制御する端子を設けて、ＶＣＯ及びフィルタの特性切り替えの制御を行い使用するＶＣＯ制御電圧範囲を狭くしたりして、ＶＣＯの制御電圧に対する受信帯域フィルタの通過特性のずれを修正することで、受信帯域フィルタのＱを高くしても、広い周波数範囲にて安定して低損失で高い減衰特性の特性が得られるようになる。
【００４８】
更には、部品ばらつきの影響が見えにくくなるため安価な精度の低い部品の使用も可能になる。フィルタ回路に温度により値の変化するコイルやコンデンサを使用した場合、温度変化と共にフィルタ特性が大きく変化してしまうが、温度による特性変化を補正することもできる。
【００４９】
【発明の効果】
本発明による移動端末受信機の帯域特性制御方法は、広い範囲で帯域特性制御が可能であり、特には、減衰量を一定に制御することができる。
【図面の簡単な説明】
【図１】図１は、本発明による移動端末受信機の帯域特性制御方法の実施の形態を示す回路ブロック図である。
【図２】図２は、第１ローカル部８の回路ブロック図である。
【図３】図３は、受信帯域フィルタを示す回路図である。
【図４】図４（ａ），（ｂ），（ｃ），（ｄ）は、回線周波数、制御電圧、ダイオード容量値、減衰量の間の複数関係をそれぞれに示すグラフである。
【図５】図５（ａ），（ｂ）は、周波数特性をそれぞれに示すグラフである。
【図６】図６は、本発明による移動端末受信機の帯域特性制御方法の実施の他の形態を示す回路ブロック図である。
【図７】図７（ａ），（ｂ）は、電圧制御を示し、同図（ａ）はそのための回路ブロック図であり、同図（ｂ）は周波数切換を示す表である。
【図８】図８（ａ），（ｂ），（ｃ），（ｄ）は、回線周波数、制御電圧、ダイオード容量値、減衰量の間の他の複数関係をそれぞれに示すグラフである。
【図９】図９（ａ），（ｂ）は、他の周波数特性をそれぞれに示すグラフである。
【図１０】図１０は、本発明による移動端末受信機の帯域特性制御方法の実施の更に他の形態を示す回路ブロック図である。
【図１１】図１１（ａ），（ｂ）は、他の電圧制御を示し、同図（ａ）はそのための回路ブロック図であり、同図（ｂ）は周波数切換を示す表である。
【図１２】図１２は、他の第１ローカル部８の回路ブロック図である。
【図１３】図１３は、ＶＣＯ部を示す回路図である。
【図１４】図１４は、本発明による移動端末受信機の帯域特性制御方法の実施の更に他の形態を示す回路ブロック図である。
【図１５】図１５（ａ），（ｂ）は、更に他の電圧制御を示し、同図（ａ）はそのための回路ブロック図であり、同図（ｂ）は更に他の周波数切換を示す表である。
【図１６】図１６は、他の受信帯域フィルタを示す回路図である。
【図１７】図１７（ａ），（ｂ），（ｃ），（ｄ）は、回線周波数、制御電圧、ダイオード容量値、減衰量の間の更に他の複数関係をそれぞれに示すグラフである。
【図１８】図１８は、本発明による移動端末受信機の帯域特性制御方法の実施の更に他の形態を示す回路ブロック図である。
【図１９】図１９（ａ），（ｂ），（ｃ）は、温度特性、周波数特性を示し、同図（ａ）は温度特性を示すグラフであり、同図（ｂ），（ｃ）はそれぞれに周波数特性を示すグラフである。
【符号の説明】
１…アンテナ
２…高周波増幅器（ＲＦＡＭＰ）
３…受信帯域フィルタ（ＢＰＦ）
５…第１ＩＦフィルタ
６…第２ＭＩＸＥＲ
７…第２ＩＦフィルタ
８…第１Ｌｏｃａｌ部
１２…ＣＰＵ
４９…フィルタ制御端子
８１…電圧制御発信器（ＶＣＯ）
８６…ＬＰＦ
【図１】
0003789435.tif 000002
【図２】
0003789435.tif 000003
【図３】
0003789435.tif 000004
【図４】
0003789435.tif 000005
【図５】
0003789435.tif 000006
【図６】
0003789435.tif 000007
【図７】
0003789435.tif 000008
【図８】
0003789435.tif 000009
【図９】
0003789435.tif 000010
【図１０】
0003789435.tif 000011
【図１１】
0003789435.tif 000012
【図１２】
0003789435.tif 000013
【図１３】
0003789435.tif 000014
【図１４】
0003789435.tif 000015
【図１５】
0003789435.tif 000016
【図１６】
0003789435.tif 000017
【図１７】
0003789435.tif 000018
【図１８】
0003789435.tif 000019
【図１９】
0003789435.tif 000020